(57)【特許請求の範囲】
【請求項１】
複数の加熱部と、前記加熱部を制御する制御部と、前記制御部にタイマ時間を設定できるタイマ設定モードと、前記タイマ設定モードへの移行とタイマ時間を設定する加熱部を選択する機能を兼ねた選択キーと、前記タイマ設定モードでタイマ時間を増加させるタイマアップキーと、前記タイマ設定モードでタイマ時間を減少させるタイマダウンキーと、タイマ設定モード移行直後でタイマ時間が設定されていない未設定時間モードと、を備え、複数の前記加熱部がタイマ設定可能な状態で、前記選択キーが操作され、タイマ設定を取り消す前記加熱部が選択され前記タイマ設定モードへ移行した状態で、
前記タイマアップキーまたは前記タイマダウンキーが操作されタイマ時間が設定された後に、
前記タイマアップキーまたは前記タイマダウンキーが操作され設定がゼロに戻され、前記未設定時間モードに設定された場合は、第１の所定時間経過後タイマ設定を取り消す前記加熱部の前記タイマ設定モードを解除してタイマ設定不可能とした状態で、前記選択キーが操作されることなしにタイマ設定可能な他の前記加熱部を選択し他の前記加熱部を前記タイマ設定モードへ移行するようにした加熱調理器。
【請求項２】
前記加熱部に優先順位を設け、前記タイマ設定モードを解除するタイマ取り消し時に、優先順位の高い順にタイマ設定可能な他の前記加熱部を選択するようにした請求項１に記載の加熱調理器。
【請求項３】
前記加熱部を前記タイマ設定モードへ移行した状態で、前記未設定時間モードのままタイマ時間が設定されず、かつ第２の所定時間経過後、前記未設定時間モードに設定されているすべての前記加熱部の前記タイマ設定モードを解除し、通常加熱モードを表示するようにした請求項１または２に記載の加熱調理器。
【請求項４】
報知手段を備え、選択された前記加熱部の前記タイマ設定モードを解除し、選択された前記加熱部から前記タイマ設定モードが他の前記加熱部に移行する際に前記報知手段により前記タイマ設定モードが他の前記加熱部に移行することを報知するようにした請求項１または２に記載の加熱調理器。
【発明の詳細な説明】
【技術分野】
【０００１】
本発明は、一般家庭や業務用に使用される加熱調理器に関するものである。
【背景技術】
【０００２】
従来、加熱調理器では、調理メニューを選択する選択キーと、タイマ時間を増加させる分キーと、メニュー選択の取り消しとタイマ時間の取り消しを兼ねた取り消しキーを操作部に備えている。時間を設定する際には分キーを押して、使用者が設定したい時間に設定する。タイマ時間は増加させることしかできないため、タイマ設定時間を越えてしまった場合は、分キーを押し０分にして１分から再度設定するか、取り消しで０分に戻して１分から再度設定するといった方法で時間を設定し直していた（例えば、特許文献１）。
【０００３】
また操作部のスペースから、各バーナーにそれぞれタイマキーを配置することができない場合は、各バーナーのタイマキーを共用にしている加熱調理器もある。この場合は選択キーでバーナーを選択し、分キーでタイマ時間を増加させ、取り消しキーでタイマ設定を取り消す仕様になっており、選択キーを操作することで加熱しているバーナーはすべてタイマ設定できるモードに移行し、選択キーを再度押すことによって次のバーナーへ移行し、それぞれバーナーごとにタイマ時間が設定できるようになっている。
【先行技術文献】
【特許文献】
【０００４】
【特許文献１】特開２００７−２１１９９４号公報
【発明の概要】
【発明が解決しようとする課題】
【０００５】
しかしながら、従来の構成では、選択キーと分キーと取り消しキーの３つから構成される場合に、分キーがタイマ時間を増加させることしかできないため、設定したい時間を越えてしまった場合に、分キーを押して０分にして１分から再度設定するか、取り消しで０分に戻して１分から再度設定する必要があり、タイマ機能の操作性がよくなかった。
【０００６】
さらに、タイマ設定を取り消すバーナーを選択する選択キーと、タイマ時間を増加させる分キーと、タイマ設定を取り消すための取り消しキーの３つで構成しすべてのバーナーのタイマ機能を共用する場合に、選択キーを操作すると、加熱しているすべてのバーナーがタイマ設定可能なモード移行するため、誤って別のバーナーのタイマ設定を行ってしまう恐れがあるという課題を有していた。
【０００７】
本発明は、従来あった取り消しキーの代わりに、タイマ時間を減少させるタイマダウンキーを設け、タイマ設定を取り消すために、タイマ設定可能なモードに移行した直後のタイマ未設定状態でタイマ時間が設定され、それから再度タイマ未設定状態に戻された場合には、取り消しと判断しタイマ設定可能なモードを解除するようにすることで、取り消しキーが無くてもタイマが取り消せ、タイマ設定が短時間で可能となり、使い勝手のよい加熱調理器を提供することを目的とする。
【０００８】
さらに、複数のバーナーがタイマ設定可能な状態で、かつタイマ未設定状態である場合に使用者がタイマ設定を取り消した後、タイマ設定可能なバーナーに選択を移動させることによって、使用者が誤って再度取り消したバーナーにタイマを設定してしまう等の誤操作を防ぐことができ、使い勝手のよい加熱調理器を提供することを目的とする。
【課題を解決するための手段】
【０００９】
前記従来の課題を解決するために、本発明の加熱調理器は、複数の加熱部と、前記加熱部を制御する制御部と、前記制御部にタイマ時間を設定できるタイマ設定モードと、前記タイマ設定モードへの移行とタイマ時間を設定する加熱部を選択する機能を兼ねた選択キーと、前記タイマ設定モードでタイマ時間を増加させるタイマアップキーと、前記タイマ設定モードでタイマ時間を減少させるタイマダウンキーと、前記タイマ設定モード移行直後でタイマ時間が設定されていない未設定時間モードと、を備え、複数の前記加熱部がタイマ設定可能な状態で、前記選択キーが操作され、タイマ設定を取り消す前記加熱部が選択され前記タイマ設定モードへ移行した状態で、前記タイマアップキーまたは前記タイマダウンキーが操作されタイマ時間が設定された後に、前記タイマアップキーまたは前記タイマダウンキーが操作され設定がゼロに戻され、前記未設定時間モードに設定された場合は、第１の所定時間経過後タイマ設定を取り消す前記加熱部の前記タイマ設定モードを解除してタイマ設定不可能とした状態で、前記選択キーが操作されることなしにタイマ設定可能な他の前記加熱部を選択し他の前記加熱部を前記タイマ設定モードへ移行することによって、取り消しキーが無くてもタイマが取り消せてタイマ設定が短時間で可能となり、使い勝手が向上する。またタイマ設定を取り消した後、タイマ設定可能なバーナーに選択を移動させることによって、使用者が誤って再度取り消したバーナーにタイマを設定してしまう等の誤操作を防ぐことができ、使い勝手が向上する。
【発明の効果】
【００１０】
本発明の加熱調理器は、取り消しキーが無くてもタイマ設定を取り消すことができ、タイマダウンキーが設けられたことで、タイマ設定を誤って長く設定しても、短くすることが可能となり、使い勝手が向上する。またタイマ設定を取り消した後、タイマ設定可能なバーナーに選択を移動させることによって、使用者が誤って再度取り消したバーナーにタイマを設定してしまう等の誤操作を防ぐことができ、使い勝手が向上する。
【図面の簡単な説明】
【００１１】
【図１】本発明の実施の形態１における加熱調理器の全体構成図
【図２】（ａ）本発明の実施の形態１における通常加熱時のタイマ表示の動作図（ｂ）本発明の実施の形態１におけるタイマ設定モード移行直後のタイマ表示の動作図（ｃ）本発明の実施の形態１におけるタイマ時間設定時のタイマ表示の動作図（ｄ）本発明の実施の形態１における未設定時間モードのタイマ表示の動作図（ｅ）本発明の実施の形態１におけるタイマ設定取り消し及び選択移動後のタイマ表示の動作図
【発明を実施するための形態】
【００１２】
第１の発明は、複数の加熱部と、前記加熱部を制御する制御部と、前記制御部にタイマ時間を設定できるタイマ設定モードと、前記タイマ設定モードへの移行とタイマ時間を設定する加熱部を選択する機能を兼ねた選択キーと、前記タイマ設定モードでタイマ時間を増加させるタイマアップキーと、前記タイマ設定モードでタイマ時間を減少させるタイマダウンキーと、タイマ設定モード移行直後でタイマ時間が設定されていない未設定時間モードとを備え、複数の前記加熱部がタイマ設定可能な状態で、前記選択キーが操作されタ
イマ設定を取り消す前記加熱部が選択され前記タイマ設定モードへ移行した状態で、前記タイマアップキーまたは前記タイマダウンキーが操作されタイマ時間が設定された後に、前記タイマアップキーまたは前記タイマダウンキーが操作され設定がゼロに戻され、前記未設定時間モードに設定された場合は、第１の所定時間経過後タイマ設定を取り消す前記加熱部の前記タイマ設定モードを解除してタイマ設定不可能とした状態で、前記選択キーが操作されることなしにタイマ設定可能な他の前記加熱部を選択し他の前記加熱部を前記タイマ設定モードへ移行することで取り消しキーが無くてもタイマ設定を取り消すことができ、タイマダウンキーが設けられたことで、タイマ設定を誤って長く設定しても、短くすることが可能となり、使い勝手が向上する。またタイマ設定を取り消した後、タイマ設定可能なバーナーに選択を移動させることによって、使用者が誤って再度取り消したバーナーにタイマを設定してしまう等の誤操作を防ぐことができ、使い勝手が向上する。
【００１３】
第２の発明は、特に、第１の発明において、前記加熱部に優先順位を設け、前記タイマ設定モードを解除するタイマ取り消し時に、優先順位の高い順にタイマ設定可能な他の前記加熱部を選択することで、ローテーションで選択が移動するため、操作性が向上する。
【００１４】
第３の発明は、特に、第１または第２の発明において、前記加熱部を前記タイマ設定モードへ移行した状態で、前記未設定時間モードのままタイマ時間が設定されず、かつ第２の所定時間経過後、前記未設定時間モードに設定されているすべての前記加熱部の前記タイマ設定モードを解除し、通常加熱モードを表示することで、取り消し後、未設定時間モードで放置されても、所定時間経過後、タイマは設定しないと判断し、タイマ設定モードを解除するため、誤ってタイマを設定していると認識してしまうことを防ぐことができる。
【００１５】
第４の発明は、特に、第１または第２の発明において、報知手段を備え、選択された前記加熱部の前記タイマ設定モードを解除し、選択された前記加熱部から前記タイマ設定モードが他の前記加熱部に移行する際に報知手段により前記タイマ設定モードが他の前記加熱部に移行することを報知することで、取り消しと選択が別のバーナーに移動したことを使用者が認識しやすくなるため、使い勝手が良くなる。
【００１６】
以下、本発明の実施の形態について、図面を参照にしながら説明する。なお、この実施の形態によって、本発明が限定されるものではない。
【００１７】
（実施の形態１）
図１は、本発明の実施の形態における加熱調理器の構成を示すものである。
【００１８】
図１に示すように、本実施の形態における加熱調理器は、発熱体等から構成される第１加熱部１、第２加熱部２、第３加熱部３と、それぞれの加熱部の加熱を制御するためマイクロコンピュータ（マイコン）や検知回路が実装された制御基板等から構成させる制御部４と、使用者が操作する操作部５と、現在の動作状況を表示するために液晶表示素子やＬＥＤ等から構成される表示部６と、スピーカーやブザー等から構成され使用者に知らせる報知手段７を備えている。操作部５には、タイマを設定する加熱部を選択するための選択キー８と、表示部６には第１〜３加熱部ごとに第１加熱部選択表示部９、第２加熱部選択表示部１０、第３加熱部選択表示部１１が設けられており、選択キー８が押されると制御部４は、タイマ時間が設定可能となるタイマ設定モード１２へ移行し、加熱しており選択中であれば選択表示部は点滅、未選択であれば点灯、加熱していないまたは通常加熱モードであれば消灯する。また優先順位は第１加熱部選択表示部９、第２加熱部選択表示部１０、第３加熱部選択表示部１１とし、加熱していなければ該当選択箇所は飛ばして優先順位にそって次へ移行する。タイマ設定モード１２移行直後は、タイマ設定可能状態で時間が設定されていない未設定時間モード１３であり、表示部６に設けられたタイマ時間を表示するための十桁表示部と一桁表示部で構成される時間表示部１４のセグメントａ１５とセグメントｂ１６に点灯させて「−−」と表示させる。未設定時間モード１３から、操作部５に設けられたタイマ設定時間を増加させるタイマアップキー１７と減少させるタイマダウンキー１８を押すことによって、タイマ時間を設定することができ、設定時間を時間表示部１４に表示する。
【００１９】
以上のように構成された加熱調理器について、以下にその動作、作用を説明する。
【００２０】
図２に本発明の第１の実施の形態におけるタイマ表示動作図を示す。図２は第１〜第３加熱部まですべて加熱しており、第１〜３加熱部ともに未設定時間モードとし、第１加熱部１を取り消す場合の動作で説明する。図２（ａ）のように加熱開始時は、時間表示部１４や選択表示部は消灯している。選択キー８が押されると、タイマ設定モード１２へ移行するため、図２（ｂ）のように、タイマ設定が選択されている優先順位の高い第１加熱部選択表示部９が点滅し、後でタイマ設定可能な第２加熱部選択表示部１０、第３加熱部選択表示部１１は点灯する。移行直後で、未設定時間モード１３のため、時間表示部１４は「−−」と表示する。第１加熱部１のタイマ設定を取り消すために、図２（ｃ）のようにタイマアップキー１７を操作し、時間を設定する（図２（ｃ）の例示ではタイマアップキーを２回押し２分に設定）。その後、タイマダウンキー１８を押して図２（ｄ）のように未設定時間モード１３に設定する（図２（ｄ）では、タイマダウンキーを２回押す）。そ
の状態で所定時間経過すると、図２（ｅ）のように、第１加熱部１のタイマ設定モード１２を解除し、第１加熱部選択表示部９を消灯する。そして優先順位の高い第２加熱部選択表示部１０に選択が移動するため、第２加熱部選択表示部１０が点滅する。また図２（ｅ）の状態で所定時間経過すると、タイマを設定しないと判断し、未設定時間モード１３で「−−」になっている加熱部はすべてタイマ設定モードを解除する。よって図２（ａ）の通常加熱状態に表示が戻る。報知手段７によりタイマ設定を取り消したこと及び取り消したためにタイマ設定する加熱部の選択を移動させたことを報知する。
【００２１】
以上のようにすることで、タイマ設定を取り消した後、タイマ設定可能なバーナーに選択を移動させることによって、使用者が誤って再度取り消したバーナーにタイマを設定してしまう等の誤操作を防ぐことができる。
【産業上の利用可能性】
【００２２】
以上のように、本発明にかかわる加熱調理器は、複数の加熱部のタイマを共用させる場合に、操作性を向上させることができるため、家庭用に限らず業務用の加熱調理器にも利用することができる。
【符号の説明】
【００２３】
１  第１加熱部
２  第２加熱部
３  第３加熱部
４  制御部
５  操作部
６  表示部
７  報知手段
８  選択キー
９  第１加熱部選択表示部
１０  第２加熱部選択表示部
１１  第３加熱部選択表示部
１２  タイマ設定モード
１３  未設定時間モード
１４  時間表示部
１５  セグメントａ
１６  セグメントｂ
１７  タイマアップキー
１８  タイマダウンキー
【図１】
0005861030.tif 000002
【図２】
0005861030.tif 000003